(57)【要約】【課題】超音波画像診断を妨げることなく、コンソールの操作を容易に行うことである。【解決手段】超音波診断装置は、超音波探触子を介して得られた受信信号に基づいて、超音波画像データを生成する生成部と、表示部１７ａと、生成された超音波画像データを表示部１７ａに表示させる表示制御部と、操作入力を受け付けるボタン１１１〜１１６、回転スイッチ１１７〜１１９を有するコンソール１１と、コンソール１１の回転スイッチ１１７〜１１９に対応する表示スイッチＧ１７〜Ｇ１９と回転スイッチ１１７〜１１９に設定された機能を示す情報とを含むガイドＧ１の表示画面内における表示位置に関する情報である表示位置情報を記憶部に登録する登録部と、を有する。表示制御部は、記憶部に記憶されている表示位置情報に基づき、ガイドＧ１を表示部１７ａに表示させる。【選択図】図３
2020130322.tif 000002
【特許請求の範囲】
【請求項１】
超音波探触子を介して得られた受信信号に基づいて、超音波画像データを生成する生成部と、
表示部と、
前記生成された超音波画像データを前記表示部に表示させる表示制御部と、
操作入力を受け付ける複数の物理的な操作デバイスを有するコンソールと、
前記コンソールの操作デバイスに対応する操作表示部品と前記操作デバイスに設定された機能を示す情報とを含むガイドの表示画面内における表示位置に関する情報である表示位置情報を記憶部に登録する登録部と、を有し、
前記表示制御部は、前記記憶部に記憶されている表示位置情報に基づき、前記ガイドを前記表示部に表示させる超音波診断装置。
【請求項２】
前記ガイドは、複数の操作デバイスに対応する複数の操作表示部品を含む請求項１に記載の超音波診断装置。
【請求項３】
前記複数の操作表示部品のレイアウトは、前記複数の操作デバイスのレイアウトと対応している請求項２に記載の超音波診断装置。
【請求項４】
前記ガイドの大きさに応じて、当該ガイドの表示内容を設定する表示内容設定部を有し、
前記登録部は、前記表示内容が設定されたガイドの前記表示画面内における表示位置情報を前記記憶部に登録する請求項１から３のいずれか一項に記載の超音波診断装置。
【請求項５】
前記表示内容設定部は、前記ガイドの大きさが所定の閾値以上であるか否かを判別し、所定の閾値以上である場合に、前記コンソールの全ての操作デバイスに対応する操作表示部品を有するガイドに設定する請求項４に記載の超音波診断装置。
【請求項６】
前記表示内容設定部は、前記ガイドの大きさが前記所定の閾値未満である場合に、前記コンソールの一部の操作デバイスに対応する操作表示部品を有するガイドに設定する請求項５に記載の超音波診断装置。
【請求項７】
前記表示部の位置を検出し、表示部位置情報を出力する位置検出部を備え、
前記表示制御部は、前記表示部位置情報に応じて、前記表示画面内のガイドの位置を設定する請求項１から６のいずれか一項に記載の超音波診断装置。
【請求項８】
前記表示制御部は、前記表示部位置情報に応じて、前記表示画面内のガイドの位置を前記コンソールの対応する部分に近い位置に設定する請求項７に記載の超音波診断装置。
【請求項９】
前記表示制御部は、操作入力されている前記操作デバイスに対応する前記ガイドの操作表示部品の表現を変更する請求項１から８のいずれか一項に記載の超音波診断装置。
【請求項１０】
前記表示制御部は、操作入力されている前記操作デバイスの動作に対応して前記ガイドの操作表示部品の動作を表示する請求項９に記載の超音波診断装置。
【請求項１１】
前記表示制御部は、操作入力されている前記操作デバイスに対応する前記ガイドの操作表示部品の機能を強調表示する請求項９に記載の超音波診断装置。
【請求項１２】
前記表示部に設けられたタッチパネルを介して、前記操作デバイスへの操作入力に対応する前記操作表示部品へのタッチの操作入力を受け付ける操作制御部を有する請求項１から１１のいずれか一項に記載の超音波診断装置。
【請求項１３】
コンピューターを、
超音波探触子を介して得られた受信信号に基づいて、超音波画像データを生成する生成部、
表示部、
前記生成された超音波画像データを前記表示部に表示させる表示制御部、
操作入力を受け付ける複数の物理的な操作デバイスを有するコンソール、
前記コンソールの操作デバイスに対応する操作表示部品と前記操作デバイスに設定された機能を示す情報とを含むガイドの表示画面内における表示位置に関する情報である表示位置情報を記憶部に登録する登録部、として機能させ、
前記表示制御部は、前記記憶部に記憶されている表示位置情報に基づき、前記ガイドを前記表示部に表示させるプログラム。
【請求項１４】
前記ガイドは、複数の操作デバイスに対応する複数の操作表示部品を含み、
前記複数の操作表示部品のレイアウトは、前記複数の操作デバイスのレイアウトと対応している請求項１３に記載のプログラム。
【請求項１５】
前記コンピューターを、
前記ガイドの大きさに応じて、当該ガイドの表示内容を設定する表示内容設定部として機能させ、
前記登録部は、前記表示内容が設定されたガイドの前記表示画面内における表示位置情報を前記記憶部に登録する請求項１３又は１４に記載のプログラム。
【請求項１６】
前記表示内容設定部は、前記ガイドの大きさが所定の閾値以上であるか否かを判別し、所定の閾値以上である場合に、前記コンソールの全ての操作デバイスに対応する操作表示部品を有するガイドに設定し、前記ガイドの大きさが前記所定の閾値未満である場合に、前記コンソールの一部の操作デバイスに対応する操作表示部品を有するガイドに設定する請求項１５に記載のプログラム。
【請求項１７】
前記コンピューターを、
前記表示部の位置を検出し、表示部位置情報を出力する位置検出部として機能させ、
前記表示制御部は、前記表示部位置情報に応じて、前記表示画面内のガイドの位置を設定する請求項１３から１６のいずれか一項に記載のプログラム。
【請求項１８】
前記表示制御部は、操作入力されている前記操作デバイスに対応する前記ガイドの操作表示部品の表現を変更する請求項１３から１７のいずれか一項に記載のプログラム。
【請求項１９】
前記コンピューターを、
前記表示部に設けられたタッチパネルを介して、前記操作デバイスへの操作入力に対応する前記操作表示部品へのタッチの操作入力を受け付ける操作制御部として機能させる請求項１３から１８のいずれか一項に記載のプログラム。
【請求項２０】
超音波探触子を介して得られた受信信号に基づいて、超音波画像データを生成する生成工程と、
前記生成された超音波画像データを表示部に表示させる表示制御工程と、
操作入力を受け付ける複数の物理的な操作デバイスを有するコンソールの操作デバイスに対応する操作表示部品と前記操作デバイスに設定された機能を示す情報とを含むガイドの表示画面内における表示位置に関する情報である表示位置情報を記憶部に登録する登録工程と、を含み、
前記表示制御工程において、前記記憶部に記憶されている表示位置情報に基づき、前記ガイドを前記表示部に表示させるコンソールのガイド表示方法。
【発明の詳細な説明】
【技術分野】
【０００１】
本発明は、超音波診断装置、プログラム及びコンソールのガイド表示方法に関する。
【背景技術】
【０００２】
超音波診断は、超音波探触子を体表又は体腔内から当てるという簡単な操作で心臓や胎児の様子が超音波画像として得られ、かつ安全性が高いため繰り返して検査を行うことができる。このような超音波診断を行うために用いられる超音波診断装置が知られている。超音波画像データは、超音波探触子から超音波が被検体に送信され、反射した超音波を超音波探触子が受信し、その受信した信号に様々な処理を行うことで得られる。
【０００３】
超音波診断装置のコンソール（操作卓）は、一般的にボタンなどの操作デバイスの数が多く複雑であり、どのボタンにどの機能が割り当てられているかを認知するのには、ユーザーによる熟練が要求され、ユーザーへの負荷がかかる。コンソールに設けられた操作デバイスは、容易に覚えられる数や内容ではないため、コンソール上に各操作デバイスに割り当てられている機能を示すシールを貼るなどして対応するのが一般的である。ただし、割り当てられている機能は、画像モードや状態、設定によって変化することもあるため、シールを貼ることでは対応が難しい。
【０００４】
一方、超音波画像を表示するメイン画像モニターと、タッチ入力を受け付ける操作ボタンを固定的に表示するタッチパネルモニターとを備え、当該タッチパネルモニター上で操作ボタンの機能の設定が可能な超音波診断装置が知られている（特許文献１参照）。
【先行技術文献】
【特許文献】
【０００５】
【特許文献１】特開２０１５−１６７６４８号公報
【発明の概要】
【発明が解決しようとする課題】
【０００６】
しかしながら、特許文献１に記載の超音波診断装置においては、コンソールに設けられた各操作デバイスに割り当てられた機能をユーザーが認知するための構成については、言及されておらず、依然として、コンソールに設けられた各操作デバイスに割り当てられた機能を認知するのに、ユーザーへの負荷がかかるという課題がある。
仮にコンソールのガイド（コンソールの各操作デバイスの機能表示）を表示させるとしても、当該ガイドが表示中の操作ボタンに重なって表示され、操作がしづらく、超音波画像診断の妨げになるおそれがあった。また、超音波画像を表示するメイン画像モニターに操作デバイスを表示させた超音波診断装置の場合には、仮にコンソールのガイドを表示させるとしても、当該ガイドが超音波画像に重なって表示され、超音波画像診断の妨げになるそれもあった。また、コンソールのガイドがユーザーの意図しない場所に表示され、超音波診断のコンソールの操作がやり辛くなるおそれがあった。
【０００７】
本発明の課題は、超音波画像診断を妨げることなく、コンソールの操作を容易に行うことである。
【課題を解決するための手段】
【０００８】
上記課題を解決するため、請求項１に記載の発明の超音波診断装置は、
超音波探触子を介して得られた受信信号に基づいて、超音波画像データを生成する生成部と、
表示部と、
前記生成された超音波画像データを前記表示部に表示させる表示制御部と、
操作入力を受け付ける複数の物理的な操作デバイスを有するコンソールと、
前記コンソールの操作デバイスに対応する操作表示部品と前記操作デバイスに設定された機能を示す情報とを含むガイドの表示画面内における表示位置に関する情報である表示位置情報を記憶部に登録する登録部と、を有し、
前記表示制御部は、前記記憶部に記憶されている表示位置情報に基づき、前記ガイドを前記表示部に表示させる。
【０００９】
請求項２に記載の発明は、請求項１に記載の超音波診断装置において、
前記ガイドは、複数の操作デバイスに対応する複数の操作表示部品を含む。
【００１０】
請求項３に記載の発明は、請求項２に記載の超音波診断装置において、
前記複数の操作表示部品のレイアウトは、前記複数の操作デバイスのレイアウトと対応している。
【００１１】
請求項４に記載の発明は、請求項１から３のいずれか一項に記載の超音波診断装置において、
前記ガイドの大きさに応じて、当該ガイドの表示内容を設定する表示内容設定部を有し、
前記登録部は、前記表示内容が設定されたガイドの前記表示画面内における表示位置情報を前記記憶部に登録する。
【００１２】
請求項５に記載の発明は、請求項４に記載の超音波診断装置において、
前記表示内容設定部は、前記ガイドの大きさが所定の閾値以上であるか否かを判別し、所定の閾値以上である場合に、前記コンソールの全ての操作デバイスに対応する操作表示部品を有するガイドに設定する。
【００１３】
請求項６に記載の発明は、請求項５に記載の超音波診断装置において、
前記表示内容設定部は、前記ガイドの大きさが前記所定の閾値未満である場合に、前記コンソールの一部の操作デバイスに対応する操作表示部品を有するガイドに設定する。
【００１４】
請求項７に記載の発明は、請求項１から６のいずれか一項に記載の超音波診断装置において、
前記表示部の位置を検出し、表示部位置情報を出力する位置検出部を備え、
前記表示制御部は、前記表示部位置情報に応じて、前記表示画面内のガイドの位置を設定する。
【００１５】
請求項８に記載の発明は、請求項７に記載の超音波診断装置において、
前記表示制御部は、前記表示部位置情報に応じて、前記表示画面内のガイドの位置を前記コンソールの対応する部分に近い位置に設定する。
【００１６】
請求項９に記載の発明は、請求項１から８のいずれか一項に記載の超音波診断装置において、
前記表示制御部は、操作入力されている前記操作デバイスに対応する前記ガイドの操作表示部品の表現を変更する。
【００１７】
請求項１０に記載の発明は、請求項９に記載の超音波診断装置において、
前記表示制御部は、操作入力されている前記操作デバイスの動作に対応して前記ガイドの操作表示部品の動作を表示する。
【００１８】
請求項１１に記載の発明は、請求項９に記載の超音波診断装置において、
前記表示制御部は、操作入力されている前記操作デバイスに対応する前記ガイドの操作表示部品の機能を強調表示する。
【００１９】
請求項１２に記載の発明は、請求項１から１１のいずれか一項に記載の超音波診断装置において、
コンピューターを、
前記表示部に設けられたタッチパネルを介して、前記操作デバイスへの操作入力に対応する前記操作表示部品へのタッチの操作入力を受け付ける操作制御部を有する。
【００２０】
請求項１３に記載の発明のプログラムは、
コンピューターを、
超音波探触子を介して得られた受信信号に基づいて、超音波画像データを生成する生成部、
表示部、
前記生成された超音波画像データを前記表示部に表示させる表示制御部、
操作入力を受け付ける複数の物理的な操作デバイスを有するコンソール、
前記コンソールの操作デバイスに対応する操作表示部品と前記操作デバイスに設定された機能を示す情報とを含むガイドの表示画面内における表示位置に関する情報である表示位置情報を記憶部に登録する登録部、として機能させ、
前記表示制御部は、前記記憶部に記憶されている表示位置情報に基づき、前記ガイドを前記表示部に表示させる。
【００２１】
請求項１４に記載の発明は、請求項１３に記載のプログラムにおいて、
前記ガイドは、複数の操作デバイスに対応する複数の操作表示部品を含み、
前記複数の操作表示部品のレイアウトは、前記複数の操作デバイスのレイアウトと対応している。
【００２２】
請求項１５に記載の発明は、請求項１３又は１４に記載のプログラムにおいて、
前記コンピューターを、
前記ガイドの大きさに応じて、当該ガイドの表示内容を設定する表示内容設定部として機能させ、
前記登録部は、前記表示内容が設定されたガイドの前記表示画面内における表示位置情報を前記記憶部に登録する。
【００２３】
請求項１６に記載の発明は、請求項１５に記載のプログラムにおいて、
前記表示内容設定部は、前記ガイドの大きさが所定の閾値以上であるか否かを判別し、所定の閾値以上である場合に、前記コンソールの全ての操作デバイスに対応する操作表示部品を有するガイドに設定し、前記ガイドの大きさが前記所定の閾値未満である場合に、前記コンソールの一部の操作デバイスに対応する操作表示部品を有するガイドに設定する。
【００２４】
請求項１７に記載の発明は、請求項１３から１６のいずれか一項に記載のプログラムにおいて、
前記コンピューターを、
前記表示部の位置を検出し、表示部位置情報を出力する位置検出部として機能させ、
前記表示制御部は、前記表示部位置情報に応じて、前記表示画面内のガイドの位置を設定する。
【００２５】
請求項１８に記載の発明は、請求項１３から１７のいずれか一項に記載のプログラムにおいて、
前記表示制御部は、操作入力されている前記操作デバイスに対応する前記ガイドの操作表示部品の表現を変更する。
【００２６】
請求項１９に記載の発明は、請求項１３から１８のいずれか一項に記載のプログラムにおいて、
前記コンピューターを、
前記表示部に設けられたタッチパネルを介して、前記操作デバイスへの操作入力に対応する前記操作表示部品へのタッチの操作入力を受け付ける操作制御部として機能させる。
【００２７】
請求項２０に記載の発明のコンソールのガイド表示方法は、
超音波探触子を介して得られた受信信号に基づいて、超音波画像データを生成する生成工程と、
前記生成された超音波画像データを表示部に表示させる表示制御工程と、
操作入力を受け付ける複数の物理的な操作デバイスを有するコンソールの操作デバイスに対応する操作表示部品と前記操作デバイスに設定された機能を示す情報とを含むガイドの表示画面内における表示位置に関する情報である表示位置情報を記憶部に登録する登録工程と、を含み、
前記表示制御工程において、前記記憶部に記憶されている表示位置情報に基づき、前記ガイドを前記表示部に表示させる。
【発明の効果】
【００２８】
本発明によれば、超音波画像診断を妨げることなく、コンソールの操作を容易に行うことができる。
【図面の簡単な説明】
【００２９】
【図１】本発明の実施の形態の超音波診断装置の外観を示す図である。
【図２】超音波診断装置の機能構成を示すブロック図である。
【図３】Ｂモードの第１の表示画面及びコンソールを示す図である。
【図４】パルスドプラモードの表示画面及びコンソールを示す図である。
【図５】表示部品登録処理を示すフローチャートである。
【図６】表示部品登録画面を示す図である。
【図７】Ｂモードの第２の表示画面及びコンソールを示す図である。
【図８】Ｂモードの第３の表示画面及びコンソールを示す図である。
【図９】操作受付処理を示すフローチャートである。
【図１０】Ｂモードの第４の表示画面及びコンソールを示す図である。
【図１１】Ｂモードの第５の表示画面及びコンソールを示す図である。
【図１２】Ｂモードの第６の表示画面及びコンソールを示す図である。
【発明を実施するための形態】
【００３０】
添付図面を参照して本発明に係る実施の形態を詳細に説明する。なお、本発明は、図示例に限定されるものではない。
【００３１】
まず、図１を参照して、本実施の形態の超音波診断装置１００の全体構成を説明する。図１は、本実施の形態の超音波診断装置１００の外観を示す図である。
【００３２】
図１に示すように、超音波診断装置１００は、超音波診断装置本体１と、超音波探触子２と、を備える。超音波探触子２は、図示しない生体などの被検体内に対して超音波（送信超音波）を送信するとともに、この被検体内で反射した超音波の反射波（反射超音波：エコー）を受信する。超音波診断装置本体１は、超音波探触子２とケーブル３を介して接続され、超音波探触子２に電気信号の駆動信号を送信することによって超音波探触子２に被検体に対して送信超音波を送信させるとともに、超音波探触子２にて受信した被検体内からの反射超音波に応じて超音波探触子２で生成された電気信号である受信信号に基づいて被検体内の内部状態を超音波画像データとして画像化する。
【００３３】
超音波探触子２は、圧電素子からなる振動子２ａ（図２参照）を備えており、この振動子２ａは、例えば、方位方向（走査方向）に一次元アレイ状に複数配列されている。本実施の形態では、例えば、１９２個の振動子２ａを備えた超音波探触子２を用いている。なお、振動子２ａは、二次元アレイ状に配列されたものであってもよい。また、振動子２ａの個数は、任意に設定することができる。また、本実施の形態では、超音波探触子２としてリニア電子スキャンプローブを用いて、コンベックス走査方式による超音波の走査を行うものとするが、リニア走査方式又はセクタ走査方式の何れの方式を採用することもできる。超音波診断装置本体１と超音波探触子２との通信は、ケーブル３を介する有線通信に代えて、ＵＷＢ（Ultra Wide Band）などの無線通信により行うこととしてもよい。
【００３４】
コンソール１１は、超音波診断装置本体１の筐体上に設けられ、医師、技師などのユーザーの操作入力を受け付ける物理的な操作部である。表示操作部１７は、ユーザーのタッチ操作が可能で各種表示を行う。表示操作部１７は、表示を行う表示部１７ａと、タッチ操作入力を受け付けるタッチパネル１７ｂと、アーム部１７ｃと、を有する。アーム部１７ｃは、例えば、超音波診断装置本体１の筐体に設けられた２軸のアームであって、表示部１７ａ（及びタッチパネル１７ｂ）を支持するとともに、表示部１７ａの３次元の位置をユーザーが自在に調整可能な支持部である。アーム部１７ｃは、表示画面の中心を軸として表示部１７ａを回転可能な構成としてもよい。
【００３５】
次いで、図２を参照して、超音波診断装置１００の機能構成を説明する。図２は、超音波診断装置１００の機能構成を示すブロック図である。
【００３６】
図２に示すように、超音波診断装置本体１は、例えば、コンソール１１と、送信部１２と、受信部１３と、生成部としての画像生成部１４と、画像処理部１５と、ＤＳＣ（Digital Scan Converter）１６と、表示操作部１７と、登録部、表示制御部、表示内容設定部としての制御部１８と、位置検出部１９と、記憶部２０と、を備える。
【００３７】
コンソール１１は、例えば、診断開始を指示するコマンド、被検体の個人情報などのデータ、超音波画像データなどを表示部１７ａに表示するための各種画像パラメーターの入力などを受け付けるための物理的な操作デバイスとして、回転スイッチなどの各種スイッチ、ボタン、トラックボール、マウス、キーボードなどを備えており、入力された操作の操作信号を制御部１８に出力する。
【００３８】
送信部１２は、制御部１８の制御に従って、超音波探触子２にケーブル３を介して電気信号である駆動信号を供給して超音波探触子２に送信超音波を発生させる回路である。また、送信部１２は、例えば、クロック発生回路、遅延回路、パルス発生回路を備える。クロック発生回路は、駆動信号の送信タイミングや送信周波数を決定するクロック信号を発生させる回路である。遅延回路は、振動子２ａ毎に対応した個別経路毎に遅延時間を設定し、設定された遅延時間だけ駆動信号の送信を遅延させ、送信超音波によって構成される送信ビームの集束を行うための回路である。パルス発生回路は、所定の周期で駆動信号としてのパルス信号を発生させるための回路である。上述のように構成された送信部１２は、例えば、超音波探触子２に配列された複数（例えば、１９２個）の振動子２ａのうちの連続する一部（例えば、６４個）を駆動して送信超音波を発生させる。そして、送信部１２は、送信超音波を発生させる毎に駆動する振動子２ａを方位方向（走査方向）にずらすことで走査（スキャン）を行う。
【００３９】
受信部１３は、制御部１８の制御に従って、超音波探触子２からケーブル３を介して電気信号である受信信号を受信する回路である。受信部１３は、例えば、増幅器、Ａ／Ｄ変換回路、整相加算回路を備えている。増幅器は、受信信号を、振動子２ａ毎に対応した個別経路毎に、予め設定された増幅率で増幅させるための回路である。Ａ／Ｄ変換回路は、増幅された受信信号をアナログ−デジタル変換（Ａ／Ｄ変換）するための回路である。整相加算回路は、Ａ／Ｄ変換された受信信号に対して、振動子２ａ毎に対応した個別経路毎に遅延時間を与えて時相を整え、これらを加算（整相加算）して音線データを生成するための回路である。
【００４０】
画像生成部１４は、制御部１８の制御に従って、受信部１３からの音線データに対して包絡線検波処理や対数圧縮などを実施し、ダイナミックレンジやゲインの調整を行って輝度変換することにより、受信エネルギーとしての輝度値を有する画素からなるＢ（Brightness）モード画像データを生成することができる。すなわち、Ｂモード画像データは、受信信号の強さを輝度によって表したものである。画像生成部１４は、画像モードがＢモードの超音波画像データとしてのＢモード画像データの他、Ａ（Amplitude）モード、Ｍ（Motion）モード、ドプラ法による画像モード（パルスドプラモード、カラードプラモードなど）など、他の画像モードの超音波画像データが生成できるものであってもよい。
【００４１】
画像処理部１５は、制御部１８の制御に従って、設定中の各種画像パラメーターに応じて、画像生成部１４から出力されたＢモード画像データに画像処理を施す。また、画像処理部１５は、ＤＲＡＭ（Dynamic Random Access Memory）などの半導体メモリーによって構成された画像メモリー部１５ａを備える。画像処理部１５は、制御部１８の制御に従って、画像処理を施したＢモード画像データをフレーム単位で画像メモリー部１５ａに記憶する。フレーム単位での画像データを超音波画像データあるいはフレーム画像データということがある。画像処理部１５は、制御部１８の制御に従って、上述したようにして生成された画像データを順にＤＳＣ１６に出力する。
【００４２】
ＤＳＣ１６は、制御部１８の制御に従って、画像処理部１５より受信した画像データを表示用の画像信号に変換し、表示操作部１７に出力する。
【００４３】
表示操作部１７の表示部１７ａは、ＬＣＤ（Liquid Crystal Display）、ＣＲＴ（Cathode-Ray Tube）ディスプレイ、有機ＥＬ（Electronic Luminescence）ディスプレイ、無機ＥＬディスプレイ及びプラズマディスプレイなどの表示装置が適用可能である。表示部１７ａは、制御部１８の制御に従って、ＤＳＣ１６から出力された画像信号に従って表示画面上に超音波画像データの静止画又は動画などの表示を行う。
【００４４】
表示操作部１７のタッチパネル１７ｂは、表示部１７ａの表示パネル上に重ねられて設けられた例えば静電容量方式のタッチパネルである。タッチパネル１７ｂは、表面が操作者の指先などにより接触されることによる内部の導電膜と表面との間の静電容量の変化に基づいて当該接触を検出し、検出された位置（座標）を示す信号を操作信号として制御部１８に出力する。なお、タッチパネル１７ｂの方式は静電容量方式に限られず、抵抗膜方式、電磁誘導方式などの他の方式であってもよい。
【００４５】
制御部１８は、例えば、ＣＰＵ（Central Processing Unit）、ＲＯＭ（Read Only Memory）、ＲＡＭ（Random Access Memory）を備え、ＲＯＭに記憶されているシステムプログラムなどの各種処理プログラムを読み出してＲＡＭに展開し、展開したプログラムに従って超音波診断装置１００の各部の動作を制御する。ＲＯＭは、半導体などの不揮発メモリーなどにより構成され、超音波診断装置１００に対応するシステムプログラム及び該システムプログラム上で実行可能な各種処理プログラムや、ガンマテーブルなどの各種データなどを記憶する。これらのプログラムは、コンピューターが読み取り可能なプログラムコードの形態で格納され、ＣＰＵは、当該プログラムコードに従った動作を逐次実行する。ＲＯＭに記憶されているプログラムとして、後述する表示部品登録処理を実行するための表示部品登録プログラムと、操作受付処理を実行するための操作受付プログラムとが記憶されているものとする。ＲＡＭは、ＣＰＵにより実行される各種プログラム及びこれらプログラムに係るデータを一時的に記憶するワークエリアを形成する。
【００４６】
位置検出部１９は、デジタルカメラ、磁気センサー、角速度センサー、加速度センサーなどを含んで構成され、コンソール１１に対する表示部１７ａの相対位置を検出する検出部である。位置検出部１９は、検出したコンソール１１に対する表示部１７ａの位置情報（表示部位置情報）を制御部１８に出力する。
【００４７】
記憶部２０は、フラッシュメモリー、ハードディスクなどで構成され、撮影した超音波画像データなどの各種情報を読み出し及び書き込み可能に記憶する記憶部である。
【００４８】
超音波診断装置１００が備える各部について、各々の機能ブロックの一部又は全部の機能は、集積回路などのハードウェア回路として実現することができる。集積回路とは、例えばＬＳＩ（Large Scale Integration）であり、ＬＳＩは集積度の違いにより、ＩＣ（Integrated Circuit）、システムＬＳＩ、スーパーＬＳＩ、ウルトラＬＳＩと呼称されることもある。また、集積回路化の手法はＬＳＩに限るものではなく、専用回路又は汎用プロセッサで実現してもよいし、ＦＰＧＡ（Field Programmable Gate Array）やＬＳＩ内部の回路セルの接続や設定を再構成可能なリコンフィギュラブル・プロセッサーを利用してもよい。また、各々の機能ブロックの一部又は全部の機能をソフトウェアにより実行するようにしてもよい。この場合、このソフトウェアは一つ又はそれ以上のＲＯＭなどの記憶媒体、光ディスク、又はハードディスクなどに記憶されており、このソフトウェアが演算処理器により実行される。
【００４９】
つぎに、図３及び図４を参照して、画像モードごとのコンソールのガイド表示を説明する。図３は、Ｂモードの表示画面７１０及びコンソール１１を示す図である。図４は、パルスドプラモードの表示画面７２０及びコンソール１１を示す図である。
【００５０】
コンソール１１の物理的な各操作デバイスは、画像モードに応じて、操作入力される機能を異に設定することが可能である。以下、説明を簡単にするために、図３に示すように、コンソール１１は、操作デバイスとして、ボタン１１１〜１１６と、回転スイッチ１１７〜１１９と、を有するものとして説明する。しかし、コンソール１１の操作デバイスは、図３の例に限定されるものではない。
【００５１】
図３に示すように、Ｂモードの超音波画像診断において、表示画面７１０が表示部１７ａに表示される。表示画面７１０は、超音波画像Ｉ１と、表示部品（ＵＩ（User Interface）部品）としての、複数の表示ボタンＢ１、コンソール１１のガイドＧ１と、を含む。超音波画像Ｉ１は、Ｂモード画像である。表示ボタンＢ１は、例えば、テキスト、ピクトグラム、ボディマークの入力、対象物の計測などの各種機能の実行入力を、タッチパネル１７ｂを介するタッチ入力により受け付けるソフトキーである。なお、表示ボタンＢ１は、コンソール１１がトラックボールなどを含む場合に、コンソール１１を介してクリック入力を受け付ける構成としてもよい。
【００５２】
ガイドＧ１は、Ｂモードに対応するコンソール１１のよく使用される一部の操作デバイス（回転スイッチ１１７〜１１９）の機能を示すガイド表示である。ガイドＧ１は、操作表示部品としての、表示スイッチＧ１７，Ｇ１８，Ｇ１９を有し、それらが順に、回転スイッチ１１７，１１８，１１９に対応している。また、ガイドＧ１において、表示スイッチＧ１７，Ｇ１８，Ｇ１９に対応して、順に、「深度」、「フォーカス」、「ゲイン」の機能が設定され、それらのテキストが各表示スイッチの近傍に表示されている。つまり、回転スイッチ１１７の回転操作により、超音波画像Ｉ１の深さ方向の表示領域を調整できる。また、回転スイッチ１１８の回転操作により、超音波画像Ｉ１のフォーカスの深度を調整できる。また、回転スイッチ１１９の回転操作により、超音波画像Ｉ１のゲインを調整できる。また、表示画面７１０上でのガイドＧ１の位置（表示画面７１０の右下端）は、コンソール１１の回転スイッチ１１７〜１１９の位置（右端）と距離が近くなるように対応づけられている。また、ガイドＧ１の表示スイッチＧ１７〜Ｇ１９のレイアウト（位置関係）は、コンソール１１の回転スイッチ１１７〜１１９のレイアウト（位置関係）と同様である。
【００５３】
図４に示すように、パルスドプラモードの超音波画像診断において、表示画面７２０が表示部１７ａに表示される。表示画面７２０は、超音波画像Ｉ２，Ｉ３と、表示部品としての、複数の表示ボタンＢ１、コンソール１１のガイドＧ２と、を含む。超音波画像Ｉ２は、Ｂモード画像であり、パルスドプラモードにおけるサンプルゲート（図示略）を含む。超音波画像Ｉ３は、超音波画像Ｉ２のサンプルゲートにおける血流波形を示す画像である。
【００５４】
ガイドＧ２は、パルスドプラモードに対応するコンソール１１のよく使用される一部の操作デバイス（回転スイッチ１１７〜１１９）の機能を示すガイド表示である。ガイドＧ２は、操作表示部品としての、表示スイッチＧ１７，Ｇ１８，Ｇ１９を有し、それらが順に、回転スイッチ１１７，１１８，１１９に対応している。また、ガイドＧ２において、表示スイッチＧ１７，Ｇ１８，Ｇ１９に対応して、順に、「角度」、「スケール」、「ゲイン」の機能が設定され、それらのテキストが表示されている。つまり、回転スイッチ１１７の回転操作により、超音波画像Ｉ２のサンプルゲートの角度を調整できる。また、回転スイッチ１１８の回転操作により、超音波画像Ｉ３のスケールを調整できる。また、回転スイッチ１１９の回転操作により、超音波画像Ｉ２のゲインを調整できる。また、ガイドＧ２の位置（表示画面７２０の右下端）は、コンソール１１の回転スイッチ１１７〜１１９の位置（右端）に距離が近くなるように対応づけられている。また、ガイドＧ２の表示スイッチＧ１７〜Ｇ１９のレイアウトは、コンソール１１の回転スイッチ１１７〜１１９のレイアウトと同様である。
【００５５】
上記のように、画像モード毎に、コンソール１１の一部（回転スイッチ１１７〜１１９）で受け付ける機能が予め設定されており、画像モード毎に、各操作デバイスの機能の設定情報（各操作デバイスと機能との対応づけ）が記憶されている。説明を省略するが、コンソール１１の残りの部分（ボタン１１１〜１１６）についても、画像モード毎に、受け付ける機能が予め設定されているものとし、画像モード毎のコンソール１１の各操作デバイスの機能の設定情報（各操作デバイスと機能との対応づけ）が記憶部２０に記憶されているものとする。また、記憶部２０に記憶されている各操作デバイスの機能の設定情報は、コンソール１１又はタッチパネル１７ｂを介するユーザーの入力に応じて、変更することが可能であるものとする。
【００５６】
ついで、図５〜図１２を参照して、超音波診断装置１００の動作を説明する。図５は、表示部品登録処理を示すフローチャートである。図６は、表示部品登録画面８００を示す図である。図７は、Ｂモードの表示画面７３０及びコンソール１１を示す図である。図８は、Ｂモードの表示画面７４０及びコンソール１１を示す図である。図９は、操作受付処理を示すフローチャートである。図１０は、Ｂモードの表示画面７５０及びコンソール１１を示す図である。図１１は、Ｂモードの表示画面７６０及びコンソール１１を示す図である。図１２は、Ｂモードの表示画面７７０及びコンソール１１を示す図である。
【００５７】
まず、図５〜図８を参照して、超音波診断装置１００で実行される表示部品登録処理を説明する。表示部品登録処理は、所望の画像モードにおける超音波画像診断時の表示画面のレイアウトとして、任意の種類の表示部品の位置、大きさを入力して登録する処理である。
【００５８】
超音波診断装置１００において、例えば、コンソール１１又はタッチパネル１７ｂを介して、医師、技師などのユーザーから表示部品登録処理の実行指示が入力されたことをトリガーとして、制御部１８は、ＲＯＭの表示部品登録プログラムに従い、表示部品登録処理を実行する。
【００５９】
図５に示すように、制御部１８は、コンソール１１又はタッチパネル１７ｂを介して、ユーザーから所望の画像モードの入力を受け付ける（ステップＳ１１）。そして、制御部１８は、ステップＳ１１で入力された画像モードに対応する表示部品登録画面データを表示部１７ａに表示する（ステップＳ１２）。ステップＳ１２では、例えば、図６に示すＢモードに対応する表示部品登録画面８００が表示される。
【００６０】
表示部品登録画面８００は、表示画面イメージ８１０と、表示部品候補ボタン８２０と、追加ボタン８３１と、削除ボタン８３２と、大きさ選択ボタン８４０と、保存ボタン８５０と、キャンセルボタン８６０と、を有する。表示画面イメージ８１０は、入力された画像モードにおける表示画面のイメージであり、表示部品の配置が可能な入力領域としても機能する。表示部品候補ボタン８２０は、入力された画像モードにおける表示部品候補の指定を受け付けるボタンである。表示部品候補ボタン８２０は、表示部品の種類として、測定、テキスト、ピクトグラム、機能１〜４、（コンソール１１の）ガイドを含む。
【００６１】
追加ボタン８３１は、表示部品候補ボタン８２０で指定された表示部品候補を表示画面イメージ８１０上に配置可能に追加する入力を受け付ける表示ボタンである。削除ボタン８３２は、表示画面イメージ８１０上に配置されている選択中の表示部品候補の削除入力を受け付ける表示ボタンである。大きさ選択ボタン８４０は、表示画面イメージ８１０上に配置されている選択中の表示部品候補の大きさ（例えば、小、中、大の三段階）の入力を受け付ける表示ボタンである。保存ボタン８５０は、表示画面イメージ８１０上に配置された表示部品の種類、位置、大きさを登録情報として保存入力を受け付ける表示ボタンである。キャンセルボタン８６０は、表示画面イメージ８１０上に配置された表示部品の登録のキャンセル入力を受け付ける表示ボタンである。
【００６２】
表示部品候補ボタン８２０、追加ボタン８３１、削除ボタン８３２、大きさ選択ボタン８４０、保存ボタン８５０、キャンセルボタン８６０は、コンソール１１又はタッチパネル１７ｂを介して入力可能である。また、追加ボタン８３１の入力により表示画面イメージ８１０上に追加された表示部品候補は、コンソール１１又はタッチパネル１７ｂを介して、空いているスペースへの移動又は選択の入力が可能である。
【００６３】
そして、制御部１８は、コンソール１１又はタッチパネル１７ｂを介して、ユーザーからの表示部品の種類、位置、大きさの入力を受け付ける（ステップＳ１３）。なお、ステップＳ１３では、表示画面イメージ８１０に配置済の表示部品の削除入力も適宜可能であるものとする。そして、制御部１８は、ステップＳ１３で入力された表示部品がコンソール１１のガイドであるか否かを判別する（ステップＳ１４）。ガイドである場合（ステップＳ１４；ＹＥＳ）、制御部１８は、入力されたガイドの大きさが、予め設定された所定の閾値以上であるか否かを判別する（ステップＳ１５）。本実施の形態では、ガイドの大きさが所定の閾値（例えば、表示画面の面積の１／８の値）以上であるかに応じて、コンソール１１の全部の操作デバイスのガイドを表示するか、当該ガイドがコンソール１１の一部の操作デバイスのガイドを表示するか、が自動的に選択されるものとする。例えば、ガイドの大きさが、大きさ選択ボタン８４０の「大」に対応する場合に、所定の閾値以上とし、ガイドの大きさが、大きさ選択ボタン８４０の「中」、「小」に対応する場合に、所定の閾値未満とする。
【００６４】
所定の閾値未満である場合（ステップＳ１５；ＮＯ）、制御部１８は、コンソール１１の一部の操作デバイスのガイドを設定する（ステップＳ１６）。所定の閾値以上である場合（ステップＳ１５；ＹＥＳ）、制御部１８は、コンソール１１の全部の操作デバイスのガイドを設定する（ステップＳ１７）。
【００６５】
そして、制御部１８は、ステップＳ１３，Ｓ１６，Ｓ１７で入力、設定された表示部品を表示画面イメージ８１０上に配置して表示する（ステップＳ１８）。そして、制御部１８は、コンソール１１又はタッチパネル１７ｂを介して、保存ボタン８５０入力がされたか否かを判別する（ステップＳ１９）。保存入力がされていない場合（ステップＳ１９；ＮＯ）、ステップＳ１３に移行される。
【００６６】
保存入力がされた場合（ステップＳ１９；ＹＥＳ）、制御部１８は、最終的に表示画面イメージ８１０上に配置された表示部品の種類、位置、大きさ、表示部品がガイドである場合のコンソール１１の全部又は一部の操作デバイスに対応する情報を、表示部品の登録情報として、ステップＳ１１で入力された画像モードに対応付けて記憶部２０に記憶し（ステップＳ２０）、表示部品登録処理を終了する。
【００６７】
表示部品登録処理において、ステップＳ１３により、表示部品としてのガイドの位置を空きスペースの範囲で自在に配置できる。例えば、図３に示すＢモードの表示画面７１０を表示させるように、表示部品としてのガイドＧ１を、表示画面７１０の右下端に配置したり、図７に示すＢモードの表示画面７３０を表示させるように、ガイドＧ１を、表示画面７３０の中央下端に配置したりできる。
【００６８】
また、表示部品登録処理において、ステップＳ１５〜Ｓ１７により、表示部品としてのガイドの大きさに応じて、含まれるコンソール１１の操作デバイスの操作表示部品を一部か全部か適切な方に設定される。例えば、ガイドの大きさが大きさ選択ボタン８４０の「中」である場合に、図３に示すＢモードの表示画面７１０を表示させるように、表示部品としてのガイドＧ１がコンソール１１の一部の操作デバイス（回転スイッチ１１７〜１１９）に対応する操作表示部品としての表示スイッチＧ１７〜Ｇ１９を含む。ガイドの大きさが大きさ選択ボタン８４０の「大」である場合に、図８に示すＢモードの表示画面７４０を表示させるように、表示部品としてのガイドＧ３がコンソール１１の全部の操作デバイス（ボタン１１１〜１１６、回転スイッチ１１７〜１１９）に対応する操作表示部品としての表示ボタンＧ１１〜Ｇ１６、表示スイッチＧ１７〜Ｇ１９を含む。
【００６９】
表示ボタンＧ１１，Ｇ１２，Ｇ１３，Ｇ１４，Ｇ１５，Ｇ１６に対応して、順に、「フリーズ」、「Ｄ（パルスドプラモードへの移行）」、「（計測の始点、終点などの）セット」、「Ｃ（カラードプラモードへの移行）」、「（対象物の）計測」、「Ｂ（Ｂモードへの移行）」の機能が設定され、それらのテキストが各表示ボタンに重畳して表示されている。表示画面７４０において、表示スイッチＧ１７〜Ｇ１９も、各機能のテキストが各表示スイッチに重畳して表示されている。また、ガイドＧ３の表示ボタンＧ１１〜Ｇ１６、表示スイッチＧ１７〜Ｇ１９のレイアウトは、コンソール１１のボタン１１１〜１１６、回転スイッチ１１７〜１１９のレイアウトと同様である。
【００７０】
ついで、図９〜図１２を参照して、超音波診断装置１００で実行される操作受付処理を説明する。操作受付処理は、所望の画像モードの超音波画像表示処理の実行時における、表示部品の表示及び操作入力を受け付ける処理である。超音波画像表示処理は、制御部１８が実行する超音波画像診断時の処理であり、コンソール１１又はタッチパネル１７ｂを介して、ユーザーから入力された画像モードに応じて、送信部１２、超音波探触子２、受信部１３、画像生成部１４の制御により、当該入力された画像モードの超音波画像データを生成し、画像処理部１５、ＤＳＣ１６の制御により、生成された超音波画像データを表示部１７ａに表示する処理である。
【００７１】
また、予め、コンソール１１又はタッチパネル１７ｂを介して、ユーザーからコンソール１１に対する表示部１７ａの位置情報に対応して、コンソール１１のガイドの表示位置の変更をするか否かの設定情報が入力されているものとする。超音波診断装置１００において、例えば、超音波画像表示処理が実行開始されたことをトリガーとして、制御部１８は、ＲＯＭの操作受付プログラムに従い、操作受付処理を実行する。
【００７２】
図９に示すように、まず、制御部１８は、実行開始された超音波画像表示処理の画像モードに対応する表示部品の登録情報を記憶部２０から読み出し、読み出した表示部品の登録情報に応じて、超音波画像表示処理の表示画面にガイドを含む表示部品を配置して表示部１７ａに表示させる（ステップＳ３１）。
【００７３】
そして、制御部１８は、位置検出部１９により、コンソール１１に対する表示部１７ａの位置情報（表示部位置情報）を検出する（ステップＳ３２）。そして、制御部１８は、コンソール１１に対する表示部１７ａの位置情報に対応して、コンソール１１のガイドの表示位置の変更をする設定がされており、かつステップＳ３２で検出されたコンソール１１に対する表示部１７ａの位置情報が、初期設定値又は前回検出時の値から変化したか否かを判別する（ステップＳ３３）。ガイドの表示位置の変更をする設定がされかつコンソール１１に対する表示部１７ａの位置情報が変化した場合（ステップＳ３３；ＹＥＳ）、制御部１８は、ステップＳ３２で検出されたコンソール１１に対する表示部１７ａの位置情報に応じて、表示画面上のコンソール１１のガイドを、対応するコンソール１１の操作デバイスが近くなる位置に移動する（ステップＳ３４）。
【００７４】
例えば、図３に示すＢモードの表示画面７１０が表示部１７ａに表示され、ガイドＧ１が表示画面の右下端に配置された状態において、図１０に示すように、ユーザーによりアーム部１７ｃを介して、表示部１７ａが右方向に移動されたものとする。すると、ステップＳ３２でコンソール１１に対する表示部１７ａの位置情報が検出され、ステップＳ３４でガイドＧ１が、コンソール１１に対する表示部１７ａの位置情報に対応して、ガイドＧ１が回転スイッチ１１７〜１１９に近くなるように表示画面の中央左寄り下端に配置された表示画面７５０が表示部１７ａに表示される。
【００７５】
ステップＳ３４の実行後、又はガイドの表示位置の変更をする設定がされていない場合、若しくはガイドの表示位置の変更をする設定がされかつコンソール１１に対する表示部１７ａの位置情報が変化していない場合（ステップＳ３３；ＮＯ）、制御部１８は、コンソール１１又はタッチパネル１７ｂを介して、ユーザーから操作入力があるか否かを判別する（ステップＳ３５）。
【００７６】
操作入力がある場合（ステップＳ３５；ＹＥＳ）、制御部１８は、ステップＳ３５で入力された操作がコンソール１１のガイドに関する操作か否かを判別する（ステップＳ３６）。ガイドに関する操作とは、ガイドに含まれる操作表示部品（表示ボタンＧ１１〜Ｇ１６、表示スイッチＧ１７〜Ｇ１９）への直接のタッチ操作、又はガイドに含まれる表示部品に対応するコンソール１１の操作デバイス（ボタン１１１〜１１６、回転スイッチ１１７〜１１９）への操作である。
【００７７】
コンソール１１のガイドに関する操作である場合（ステップＳ３６；ＹＥＳ）、制御部１８は、ガイドの操作表示部品（表示ボタンＧ１１〜Ｇ１６、表示スイッチＧ１７〜Ｇ１９）の表現を、操作中を示す表現に変化して表示する（ステップＳ３７）。ステップＳ３７の操作中を示す表現の１つは、表示部品の機能のテキストの強調（ハイライト）表示である。例えば、図３に示すように、Ｂモードの表示画面７１０が表示部１７ａに表示された状態で、ユーザーによりコンソール１１の回転スイッチ１１７が回転操作されると、ステップＳ３７で、図１１に示すように、表示スイッチＧ１７に対応する「深度」のテキストが強調表示として反転表示された表示画面７６０が表示部１７ａに表示される。強調表示は、反転表示に限定されるものではなく、文字色変換、文字点滅、文字の背景色変換、文字の大きさ変換などでもよい。ガイドに表示ボタンＧ１１〜Ｇ１６が含まれる場合に、ボタン１１１〜１１６の押下操作がされた場合も、押下に対応する表示ボタンのテキストが強調表示される。
【００７８】
また、ステップＳ３７の操作中を示す表現の１つは、表示部品の操作の動きを表す動画表現である。例えば、図３に示すように、Ｂモードの表示画面７１０が表示部１７ａに表示された状態で、ユーザーによりコンソール１１の回転スイッチ１１７が時計回りに回転操作されると、ステップＳ３７で、図１２に示すように、表示スイッチＧ１７が時計回りに回転する動画（図では３つの矢印で表現）として表示された表示画面７６０が表示部１７ａに表示される。
【００７９】
ステップＳ３７の実行後、又はコンソール１１のガイドに関する操作でない場合（ステップＳ３６；ＮＯ）、制御部１８は、ステップＳ３５で入力された操作の処理を行う（ステップＳ３８）。ステップＳ３８は、画像モードの変更の操作入力がされた場合の、変更後の画像モードにおけるステップＳ３１と同様の処理も含まれる。そして、制御部１８は、実行中の超音波画像表示処理の終了に応じて、操作受付処理を終了するか否かを判別する（ステップＳ３９）。操作受付処理を終了しない場合（ステップＳ３９；ＮＯ）、ステップＳ３２に移行される。操作受付処理を終了する場合（ステップＳ３９；ＹＥＳ）、操作受付処理が終了する。
【００８０】
以上、本実施の形態によれば、超音波診断装置１００は、超音波探触子２を介して得られた受信信号に基づいて、超音波画像データを生成する画像生成部１４と、表示部１７ａと、生成された超音波画像データを表示部１７ａに表示させる制御部１８と、操作入力を受け付ける複数の物理的な操作デバイス（ボタン１１１〜１１６、回転スイッチ１１７〜１１９）を有するコンソール１１と、を有する。制御部１８は、コンソール１１の操作デバイスに対応する操作表示部品（例えば表示スイッチＧ１７〜Ｇ１９）と操作デバイスに設定された機能を示す情報とを含むガイドの表示画面内における表示位置に関する情報である表示位置情報を記憶部２０に登録し、記憶部２０に記憶されている表示位置情報に基づき、ガイドを表示部１７ａに表示させる。
【００８１】
このため、ガイドの位置を任意に設定して登録できるので、表示画面内の超音波画像に重ならない位置にガイドを配置でき、超音波画像診断を妨げることなく、ユーザーがガイドの操作表示部品に対応する操作デバイスの機能を目視により確認でき、対応するコンソール１１の操作デバイスの操作を容易に行うことができる。
【００８２】
また、ガイドは、複数の操作デバイスに対応する複数の操作表示部品を含む。このため、ユーザーが複数の操作デバイスと複数の操作表示部品との対応付けを目視により確認でき、対応するコンソール１１の操作デバイスの操作を容易に行うことができる。
【００８３】
また、ガイドの複数の操作表示部品のレイアウトは、コンソール１１の複数の操作デバイスのレイアウトと対応している。このため、ユーザーが複数の操作デバイスと複数の操作表示部品との対応付けを目視によりさらに容易に確認でき、対応するコンソール１１の操作デバイスの操作をさらに容易に行うことができる。
【００８４】
また、制御部１８は、ガイドの大きさに応じて、当該ガイドの表示内容を設定し、表示内容が設定されたガイドの表示画面内における表示位置情報を記憶部２０に登録する。具体的には、制御部１８は、ガイドの大きさが所定の閾値以上であるか否かを判別し、所定の閾値以上である場合に、コンソール１１の全ての操作デバイスに対応する操作表示部品を有するガイドに設定する。このため、ガイドが大きい場合に、コンソール１１の全ての操作デバイスの機能を目視により認識できる。
【００８５】
また、制御部１８は、ガイドの大きさが所定の閾値未満である場合に、コンソール１１の一部の操作デバイスに対応する操作表示部品を有するガイドに設定する。このため、ガイドが小さい場合に、コンソール１１のより重要な一部の操作デバイスの機能を目視により認識できる。
【００８６】
また、超音波診断装置１００は、表示部１７ａの位置を検出し、表示部位置情報を出力する位置検出部１９を備える。制御部１８は、表示部位置情報に応じて、表示画面内のガイドの位置を設定する。具体的には、制御部１８は、検出された表示部１７ａの位置情報に応じて、表示画面内のガイドの位置をコンソール１１の対応する部分に近い位置に設定する。このため、コンソール１１の対応する部分とガイドとを容易に対応付けてガイドを目視により認識できる。
【００８７】
また、制御部１８は、操作入力されている操作デバイスに対応するガイドの操作表示部品の表現を変更する。より具体的には、制御部１８は、操作入力されている操作デバイスの動作に対応してガイドの操作表示部品の同様な動作を表示する。このため、コンソール１１の操作中の操作デバイスに対応するガイドの操作表示部品の機能をさらに容易に確認できる。
【００８８】
また、制御部１８は、操作入力されている操作デバイスに対応するガイドの操作表示部品の機能を強調表示する。このため、コンソール１１の操作中の操作デバイスに対応するガイドの操作表示部品の機能をさらに容易に確認できる。
【００８９】
また、制御部１８は、タッチパネル１７ｂを介して、操作デバイスへの操作入力に対応するガイドの操作表示部品へのタッチの操作入力を受け付ける。このため、コンソール１１の操作デバイスへの直接の操作と、ガイドの操作表示部品へのタッチ操作とにより、操作入力をさらに容易に行うことができる。
【００９０】
以上の説明では、本発明に係るプログラムのコンピューター読み取り可能な媒体としてＲＯＭを使用した例を開示したが、この例に限定されない。その他のコンピューター読み取り可能な媒体として、フラッシュメモリーなどの不揮発性メモリー、ＣＤ−ＲＯＭなどの可搬型記録媒体を適用することが可能である。また、本発明に係るプログラムのデータを通信回線を介して提供する媒体として、キャリアウエーブ（搬送波）も本発明に適用される。
【００９１】
なお、上記実施の形態における記述は、本発明に係る好適な超音波診断装置、プログラム及びコンソールのガイド表示方法の一例であり、これに限定されるものではない。
【００９２】
上記実施の形態では、表示部１７ａとコンソール１１とが分離され、表示部１７ａと超音波診断装置本体１とがアーム部１７ｃで接続された超音波診断装置１００を説明したが、この構成に限定されるものではない。例えば、超音波診断装置本体１が、アーム部１７ｃを備えない構成としてもよい。また、上記実施の形態のガイドの登録及び表示の構成を、表示部とコンソールとが一体的に接続されている超音波診断装置に適用してもよい。さらに、表示部とコンソールとが一体的に接続された超音波診断装置において、コンソールに対して表示部が回転などにより可動である構成としてもよい。この構成においても、表示部の表示画面内のガイドと、当該ガイドに対応するコンソールの部分とが近くなるように、表示画面内のガイドが適宜移動表示される構成としてもよい。
【００９３】
また、以上の実施の形態における超音波診断装置１００を構成する各部の細部構成及び細部動作に関して本発明の趣旨を逸脱することのない範囲で適宜変更可能である。
【符号の説明】
【００９４】
１００  超音波診断装置
１  超音波診断装置本体
１１  コンソール
１１１，１１２，１１３，１１４，１１５，１１６  ボタン
１１７，１１８，１１９  回転スイッチ
１２  送信部
１３  受信部
１４  画像生成部
１５  画像処理部
１５ａ  画像メモリー部
１６  ＤＳＣ
１７  表示操作部
１７ａ  表示部
１７ｂ  タッチパネル
１７ｃ  アーム部
１８  制御部
１９  位置検出部
２０  記憶部
２  超音波探触子
２ａ  振動子
３  ケーブル
【図１】
2020130322.tif 000003
【図２】
2020130322.tif 000004
【図３】
2020130322.tif 000005
【図４】
2020130322.tif 000006
【図５】
2020130322.tif 000007
【図６】
2020130322.tif 000008
【図７】
2020130322.tif 000009
【図８】
2020130322.tif 000010
【図９】
2020130322.tif 000011
【図１０】
2020130322.tif 000012
【図１１】
2020130322.tif 000013
【図１２】
2020130322.tif 000014